(57)【要約】【課題】本発明は、ユーザが通話をしながらテレビ放送を視聴する際に、テレビ放送の音声によって通話の音声が聞き取りにくくなることが防止することができる携帯端末を提供する。【解決手段】テレビ視聴中に、着信を検出する第１の検出手段（Ｓ１０１）と、着信が検出された際、テレビ放送波に含まれる字幕情報を表示する表示制御手段（Ｓ１０７）と、着信が検出された際、テレビ放送波に含まれる音声情報の音声出力を無効に設定する音声制御手段（Ｓ１１１）と、着信が検出された際、テレビ視聴機能と併せて通話機能を実行する実行手段（Ｓ１１３、Ｓ１１５）とを備えた。【選択図】  図４
2010161472.tif 000002
【特許請求の範囲】
【請求項１】
テレビ視聴中に、着信を検出する第１の検出手段と、
前記第１の検出手段により着信が検出された際、テレビ放送波に含まれる字幕情報を表示する表示制御手段と、
前記第１の検出手段により着信が検出された際、テレビ放送波に含まれる音声情報の音声出力を無効に設定する音声制御手段と、
前記第１の検出手段により着信が検出された際、テレビ視聴機能と併せて通話機能を実行する実行手段と
を備えたことを特徴とする携帯端末。
【請求項２】
前記第１の検出手段により検出された着信又は通話の終了を検出する第２の検出手段を備え、
前記第２の検出手段により着信又は通話の終了が検出された際に、前記表示制御手段は字幕情報の表示を終了し、前記音声制御手段はテレビ放送波に含まれる音声情報の音声出力を有効に設定することを特徴とする請求項１記載の携帯端末。
【請求項３】
前記音声制御手段は、前記携帯端末にヘッドセットが接続されていた場合、着信に含まれる音声出力をこのヘッドセットに出力することを特徴とする請求項１記載の携帯端末。
【請求項４】
前記第１の検出手段により着信が検出された際、テレビ放送が字幕情報を含んでいなかった場合、テレビ放送の録画を開始する録画手段と、
前記第２の検出手段により着信又は通話の終了が検出された際、前記録画手段により録画された映像を再生する再生手段と
を備えたことを特徴とする請求項２記載の携帯端末。
【請求項５】
前記第１の検出手段により着信が検出された際、前記携帯端末にヘッドセットが接続されていない場合、テレビ放送の録画を開始する録画手段と、
前記第２の検出手段により着信又は通話の終了が検出された際、前記録画手段により録画された映像を再生する再生手段と
を備えたことを特徴とする請求項２記載の携帯端末。
【発明の詳細な説明】
【技術分野】
【０００１】
本発明は、テレビ視聴中に音声着信が発生してテレビ視聴機能と通話機能とを同時に実行する際に、テレビの音声を無効にするとともにテレビ視聴画面に字幕情報を表示することができる携帯端末に関する。
【背景技術】
【０００２】
近年、携帯電話機等の携帯端末において、地上波デジタルテレビ放送等のテレビ放送を受信して視聴できるテレビ視聴機能が搭載されるようになってきた。また、これらの携帯端末は、テレビ放送の視聴機能のみでなく、録画・再生機能を同時に備えていることが一般的である。
【０００３】
例えば特許文献１には、テレビを視聴しながら通話ができるテレビ付き携帯電話機が記載されている。このテレビ付き携帯電話機は、出力する音声において、第１の音声出力手段と、第２の音声出力手段と、テレビ音声信号または受話音声信号を入力として、いずれかを選択し第１の音声出力手段に出力する第１の選択手段と、テレビ音声信号または受話音声信号または無音声信号を入力として、いずれかを選択し第２の音声出力手段から出力する第２の選択手段と、第１の音声出力手段と第２の音声出力手段から出力する入力音声信号を合成するミキシング手段とを備えたものである。
【先行技術文献】
【特許文献】
【０００４】
【特許文献１】特開２００５−２５２７７４号公報
【発明の概要】
【発明が解決しようとする課題】
【０００５】
近年、携帯電話機等の携帯端末は、スピーカやマイクロフォンを備えたヘッドセットをユーザが頭に装着して、このヘッドセットと端末本体とで有線接続または無線接続にて音声信号を送受信することにより、ユーザが携帯端末を耳に当てることなく通話を行うことが可能となっている。
【０００６】
この際、携帯端末では、音声着信によりテレビ視聴が中断されるという問題を解決するために、通話の音声出力とワンセグ視聴の音声出力を、ヘッドセット、内蔵スピーカなどに出し分ける機能を備えているが、各々の音声を出力先によって出し分けるのみであるため、ユーザにとって、テレビ放送の音声によって通話の音声が聞き取りにくくなり、テレビ視聴の妨げになる恐れがあるという問題があった。
【０００７】
本発明は、上記課題を鑑みてなされてものであり、ユーザが通話をしながらテレビ放送を視聴する際に、テレビ放送の音声によって通話の音声が聞き取りにくくなることが防止された携帯端末を提供することを目的とする。
【課題を解決するための手段】
【０００８】
上記課題を解決するために、本発明に係る携帯端末は、テレビ視聴中に、着信を検出する第１の検出手段と、前記第１の検出手段により着信が検出された際、テレビ放送波に含まれる字幕情報を表示する表示制御手段と、前記第１の検出手段により着信が検出された際、テレビ放送波に含まれる音声情報の音声出力を無効に設定する音声制御手段と、前記第１の検出手段により着信が検出された際、テレビ視聴機能と併せて通話機能を実行する実行手段とを備えたことを特徴とする。
【発明の効果】
【０００９】
本発明に係る携帯端末によると、ユーザが通話をしながらテレビ放送を視聴する際に、テレビ放送の音声によって通話の音声が聞き取りにくくなることが防止することが可能となる。
【図面の簡単な説明】
【００１０】
【図１】（Ａ）は、本発明に係る携帯端末（携帯電話機）の閉じた状態を示す斜視図、（Ｂ）は、本発明に係る携帯端末（携帯電話機）の開いた状態を示す斜視図。
【図２】本発明に係る携帯端末（携帯電話機）の機能を示すブロック図。
【図３】本発明に係る携帯端末（携帯電話機）におけるテレビ視聴制御機能を実現するためのソフトウェア構成図。
【図４】本発明に係る携帯端末（携帯電話機）がテレビ視聴制御処理を行う際の手順を示すフローチャート。
【図５】本発明に係る携帯端末（携帯電話機）がテレビ視聴制御処理を行う際の手順を示すフローチャート。
【図６】（Ａ）及び（Ｂ）は、本発明に係る携帯端末（携帯電話機）における通常のテレビ視聴画面を示す画面図、（Ｃ）及び（Ｄ）は、本発明に係る携帯端末（携帯電話機）において通話機能及びテレビ視聴機能を同時に起動しているときのテレビ視聴画面を示す画面図。
【図７】本発明に係る携帯端末（携帯電話機）において、字幕情報を有する番組を視聴しているときに音声着信があった場合のテレビ視聴制御処理を行う際の手順を示すシーケンス図。
【図８】本発明に係る携帯端末（携帯電話機）において、字幕情報を有さない番組を視聴しているときに音声着信があった場合のテレビ視聴制御処理を行う際の手順を示すシーケンス図。
【発明を実施するための形態】
【００１１】
本発明に係る携帯端末の実施形態について、添付図面を参照しながら説明する。本発明に係る携帯端末として、複数の筐体がスライド自在に結合されてなるスライド型の携帯電話機１を例に挙げて説明する。
【００１２】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（例えば長手方向；図１のＸ方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１３】
上筐体１０の外面（下筐体１１に対面しない側の面）には、文字や画像等からなる画面を表示するためのディスプレイ１２、音声を出力するためのスピーカ１３、ユーザにより押下されることにより指示を入力する操作キー１４が設けられている。操作キー１４は、例えば、発呼を指示するための発呼キー、終話を指示するための終話キー、メール機能の起動を指示するためのメールキー、テレビ視聴機能の起動を指示するためのテレビキー、上下左右の方向を入力するための方向キー等である。
【００１４】
これらのディスプレイ１２、スピーカ１３、及び操作キー１４は、携帯電話機１が閉じた状態であっても開いた状態であっても外部に露出するように設けられている。よって、携帯電話機１が閉じた状態であっても開いた状態であっても、ユーザはディスプレイ１２の画面を視認したり操作キー１４を介して指示を入力したりすることができる。
【００１５】
下筐体１１の内面（上筐体１０に対面する側の面）には、ユーザにより押下されることにより指示を入力する操作キー１５、音声を集音するためのマイクロフォン１６が設けられている。操作キー１５は、例えば、数字や文字を入力するためのテンキー等である。
【００１６】
これらの操作キー１５やマイクロフォン１６は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１５を介して指示を入力することができるが、携帯電話機１が閉じた状態のときには、ユーザは操作キー１５を介して指示を入力することができない。よってユーザは、携帯電話機１を開いた状態に変形させてから操作キー１５を用いて指示を入力する。
【００１７】
下筐体１１の側面には、ユーザにより押下されることにより指示を入力するサイドキー１７が設けられている。これらのサイドキー１７は、携帯電話機１が閉じた状態であっても開いた状態であっても外部に露出するように設けられている。よって、携帯電話機１が閉じた状態であっても開いた状態であっても、ユーザはサイドキー１７を介して指示を入力することができる。
【００１８】
次に、携帯電話機１の機能について、図２に示すブロック図を用いて説明する。携帯電話機１は、図２に示すように、主制御部２０、電源回路部２１、表示制御部２２、記憶部２３、外部メモリ接続部２４、音声制御部２５、通信制御部２６、テレビ受信部２７、映像再生制御部２８、及び近距離無線通信制御部２９を備えていて、これらはバスＢによって相互に通信可能に接続されている。
【００１９】
主制御部２０は、様々なデータ処理や演算を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するメール作成処理やテレビ視聴処理等や、その他の様々な処理を行う。また主制御部２０は、操作キー１４、１５、サイドキー１７に対する入力インタフェースを備え、操作キー１４、１５、サイドキー１７のうちのいずれかのキーが押下された際に、この押下されたキーに対応付けられた様々な処理を行う。さらに主制御部２０は、例えばＲＴＣ（Ｒｅａｌ  Ｔｉｍｅ  Ｃｌｏｃｋ）回路を用いて計時する内蔵時計を備えていて、現在時刻を常時計時している。
【００２０】
電源回路部２１は、ユーザによる操作キー１４、１５を介した入力に基づいて電源のＯＮ／ＯＦＦ状態を切り替え、電源がＯＮ状態の場合には電力供給源（バッテリ等）から各部に対して電力を供給して、携帯電話機１を動作可能にする。表示制御部２２は、ディスプレイ１２の表示インタフェースを備え、主制御部２０の制御に基づいて、テレビ視聴画面や通話画面等の様々な表示画面をディスプレイ１２に表示する。
【００２１】
記憶部２３は、主制御部２０が処理を行う際に使用するデータを一時的に記憶するＲＡＭ（Ｒａｎｄｏｍ  Ａｃｃｅｓｓ  Ｍｅｍｏｒｙ）、主制御部２０が行う処理の処理プログラム等を格納するＲＯＭ（Ｒｅａｄ  Ｏｎｌｙ  Ｍｅｍｏｒｙ）、ハードディスク、不揮発性メモリ等の記憶装置を具備する。主制御部２０が後述する録画制御処理や録画番組リスト表示処理等を行う際の処理プログラムは、例えばＲＯＭに記憶されている。
【００２２】
外部メモリ接続部２４は、例えばＳＤ（登録商標）カードやＵＳＢ（Ｕｎｉｖｅｒｓａｌ  Ｓｅｒｉａｌ  Ｂｕｓ）メモリ等の外部メモリＭに対する入出力インタフェースを備え、外部メモリＭが携帯電話機１に電気的に接続された際に、この外部メモリＭに対してデータの書き込み処理や読み込み処理を行う。
【００２３】
音声制御部２５は、主制御部２０の制御に基づいて、マイクロフォン１６で集音した音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２４】
通信制御部２６は、主制御部２０の制御に基づいて、アンテナ２６ａを介して受信した受信信号をスペクトラム逆拡散処理してデータを復元する。このデータは、主制御部２０の指示により、ディスプレイ１２に表示されたり記憶部２３に記録されたりする。また通信制御部２６は、主制御部２０の制御に基づいて、操作キー１４、１５を介して入力されたデータや記憶部２３に記憶されたデータに対してスペクトラム拡散処理を行い、アンテナ２６ａを介して送信する。
【００２５】
地デジ受信部２７は、チューナ２７ａ、復調部２７ｃ、ＴＳデコーダ２７ｄ、字幕デコーダ２８ｅを備えている。チューナ２７ａは、地上波デジタルテレビ放送の放送局（図示せず）から放送された地上波デジタルテレビ放送（地上波デジタルワンセグ放送も含む）の変調波ａを、アンテナ２７ｂを介して受信する。復調部２７ｃは、チューナ２７ａが受信した変調波ａを取得して復調し、地上波デジタルテレビ放送の符号化映像情報ｂを生成する。ＴＳデコーダ２７ｄは、復調部２７ｃが生成した符号化映像情報ｂを取得して復号し、符号化映像情報ｂのうちの音声情報ｃを音声制御部２５または記憶部２３へ伝送するとともに、符号化映像情報ｂのうちの動画像情報ｄを映像再生制御部２８または記憶部２３に、符号化映像情報ｂのうちの文字情報ｅを字幕デコーダ２７ｅまたは記憶部２３に伝送する。
【００２６】
音声情報ｃを受信した音声制御部２５は、この音声情報ｃをスピーカ１３から音声として出力する。動画像情報ｄを受信した映像再生制御部２８は、この動画像情報ｄを表示制御部２２を介してディスプレイ１２に表示する。文字情報ｅを受信した字幕デコーダ２７ｅは、この文字情報ｅから字幕情報ｆを生成して、表示制御部２２または記憶部２３に伝送する。
【００２７】
映像再生制御部２８は、地デジ受信部２７により受信された地上波デジタルテレビ放送の動画像情報ｄや記憶部２３に記憶されている動画像情報ｄを取得すると、これらの動画像情報ｄを表示制御部２２を介してディスプレイ１２に表示する。また映像再生制御部２８は、主制御部２０の制御に基づいて、ディスプレイ１２に表示されている画面を静止画像ファイル（キャプチャ画像）ｇとして記憶部２６に記憶する（キャプチャする）。
【００２８】
近距離無線通信制御部２９は、携帯電話機１から所定距離内にある通信端末と電波をやり取りするアンテナ２９ａを備えていて、このアンテナ２９ａを介して、他の通信機器に対して無線通信を行う。すなわち、近距離無線通信制御部２９は、主制御部２０の制御に基づいて、アンテナ２９ａを介して他の通信機器から受信した受信信号をスペクトラム逆拡散処理してデータを復元する。また、近距離無線通信制御部２９は、主制御部２０の制御に基づいて、例えば記憶部２９に記憶されたデータ等に対してスペクトラム拡散処理を行い、他の通信機器に対してアンテナ２９ａを介して送信する。
【００２９】
近距離無線通信制御部２９により通信可能な他の通信機器は、例えば音声信号を送受信したり音声を入出力したりするヘッドセット等である。携帯電話機１が所定距離内にあるヘッドセット（例えばユーザが装着したヘッドセット）に対して音声信号を送信してヘッドセットが有するスピーカから音声を出力させることにより、ユーザはヘッドセットを介して携帯電話機１の音声を聞くことができるとともに、ヘッドセットが有するマイクロフォンから入力された音声の音声信号が携帯電話機１に送信されることにより、ユーザはヘッドセットを介して携帯電話機１に音声を入力することができる。
【００３０】
図３は、携帯電話機１においてテレビ視聴中に音声通話が割り込んだ場合に、主制御部２０がテレビ視聴制御処理を実行するためのソフトウェア構成を示す構成図である。携帯電話機１は、アプリケーションプログラムを実装するためのソフトウェア部品を備えたフレームワーク３０を有していて、このフレームワーク３０上に、全てのアプリケーションプログラムの起動や終了、スタックを管理するためのアプリマネージャ３１、ユーザに対してテレビ機能のユーザインタフェースを提供するとともにテレビ視聴処理や録画処理、再生処理を行うアプリケーションプログラムであるワンセグアプリ３２、ユーザに対して通話機能のユーザインタフェースを提供するとともに通話処理を制御するためのアプリケーションプログラムである通話アプリ３３を有している。
【００３１】
また、携帯電話機１は、フレームワーク３０の下に、コンピュータを制御してアプリケーションプログラムやミドルウェア等のコンピュータ資源をアプリケーションプログラムで利用可能にするオペレーティングシステム３４を有しているとともに、携帯電話機１の装置本体や、ヘッドセットなどの本体に接続される外部装置の状態を管理するミドルウェアであるデバイス管理ミドルウェア３５、ワンセグアプリ３２とオペレーティングシステム３４との中間に位置してオペレーティングシステム３４からワンセグアプリ３２にテレビ機能を提供するミドルウェアであるワンセグミドルウェア３６、通話アプリ３３とオペレーティングシステム３４との中間に位置してオペレーティングシステム３４から通話アプリ３３に通話機能を提供するミドルウェアである通話ミドルウェア３７を有している。
【００３２】
また、携帯電話機１は、オペレーティングシステム３４の下に、ハードウェア３９を制御し、アプリケーションプログラムやミドルウェアに対して抽象化されたインタフェースを提供するデバイスドライバ３８を有し、デバイスドライバ３８の下に、携帯電話機１の物理的な構成要素であるハードウェア３９を有する。
【００３３】
携帯電話機１が受信する地上波デジタルテレビ放送波には字幕情報が含まれている場合が多々あり、携帯電話機１では、ユーザ設定により、テレビ視聴中に字幕情報をディスプレイ１２に表示するか否かの設定を切替えることができるようになっている。さらに、携帯電話機１は、テレビ視聴を行っている最中に音声着信が発生した場合に、テレビ放送の音声を無音声に設定するとともに、ディスプレイ１２に字幕情報を表示するテレビ視聴制御機能を備えている。なお、携帯電話機１は、通話終了後に音声着信前の視聴状態に戻す。
【００３４】
携帯電話機１が、テレビ視聴中に音声着信が発生した場合に、このテレビ視聴制御処理を行う際の手順を、図４及び図５に示すフローチャート、図６に示す画面遷移図、図７及び図８に示すシーケンス図に基づいて説明する。なお、図７は、携帯電話機１にて視聴中の番組が字幕情報を有していた場合のシーケンス図であり、図８は、携帯電話機１にて視聴中の番組が字幕情報を有していなかった場合のシーケンス図である。以下、例えば「ステップＳ１０１」を「Ｓ１０１」のように、「ステップ」の語句を省略して説明する。
【００３５】
始めに、携帯電話機１はテレビ視聴処理を行っているものとする。このとき、ディスプレイ１２の表示画面４０には、例えば図６（Ａ）に示すように、テレビ放送の映像が表示される番組情報表示欄４１、または、例えば図６（Ｂ）に示すように、テレビ放送の映像及び文字情報が表示される番組情報表示欄４１ａが表示されている。
【００３６】
この状態で、主制御部２０は、携帯電話機１に音声着信が発生したか否かを判断する（Ｓ１０１）。この際、主制御部２０は、通話ミドルウェア３７が着信信号を検知したことに基づいて、音声着信があったものと判断する。音声着信が発生していない場合（Ｓ１０１のＮｏ）は、主制御部２０は音声着信が発生するまで待機する。
【００３７】
図７及び図８に示すように、携帯電話機１に音声着信が発生した場合に、通話ミドルウェア３７はアプリマネージャ３１に対して、テレビ視聴中であるか（ワンセグアプリが最前面（最上位）であるかどうかの問い合わせを行い（Ｓ３０１）、アプリマネージャ３１は、テレビ視聴中であるかどうかを示す信号を通話ミドルウェア３７に返信する（Ｓ３０２）。通話ミドルウェア３７は、音声着信が発生したときにテレビ視聴中でなかった場合には、着信音や振動によりユーザに対してこの音声着信を通知する等、通常通りの音声着信処理を行う。そして、音声着信が発生したときにテレビ視聴中であった場合に、以下のテレビ視聴制御処理を行う。
【００３８】
携帯電話機１に音声着信が発生した場合（Ｓ１０１のＹｅｓ）は、主制御部２０は、携帯電話機１でヘッドセットが使用されているか否かを判断する（Ｓ１０３）。ユーザは、ヘッドセットを使用することによって、携帯電話機１を耳に当てなくとも通話を行うことができる。よってユーザがヘッドセットを使用している場合には、携帯電話機１でテレビ視聴と通話との双方を同時に行うことができるから、主制御部２０は、テレビ放送の音声出力を字幕表示に切り替えて、テレビ視聴中に通話処理を開始する。
【００３９】
このとき、図７及び図８に示すように、通話ミドルウェア３７がデバイス管理ミドルウェア３５に対してヘッドセットが使用中であるかどうかの問い合わせを行い（Ｓ３０３）、デバイス管理ミドルウェア３５は、ヘッドセットが使用中であるかどうかを示す信号を通話ミドルウェア３７に返信する（Ｓ３０４）。
【００４０】
ヘッドセットが使用されている場合（Ｓ１０３のＹｅｓ）は、主制御部２０は、音声の代わりに字幕情報に切り替えるために、視聴中の番組が字幕情報を含んでいるか否かを判断する（Ｓ１０５）。この際、主制御部２０は、字幕のありなしについて、地上デジタルテレビ放送波に含まれるＰＭＴ（Ｐｒｏｇｒａｍ  Ｍａｐ  Ｔａｂｌｅ）内にあるパラメータ（ｓｔｒｅａｍ＿ｔｙｐｅ）により判定する。
【００４１】
テレビ視聴機能で視聴中の番組が字幕情報を含んでいる場合（Ｓ１０５のＹｅｓ）は、主制御部２０は、字幕設定において、字幕情報ありに設定する（Ｓ１０７）。このとき、通話ミドルウェア３７はワンセグミドルウェア３６に対して、「字幕表示あり」に設定するように要求する（Ｓ３０５）。ワンセグミドルウェア３６は、テレビ視聴機能において「字幕表示あり」に設定する（Ｓ３０６）。
【００４２】
これにより、ディスプレイ１２には番組の映像とともに字幕情報が表示される。このとき、ディスプレイ１２の表示画面４０には、例えば図６（Ｃ）に示すように、映像が表示される番組情報表示欄４２、通話情報が表示される通話情報表示欄４３が表示されるとともに、番組情報表示欄４２には字幕情報４４が表示される。または、ディスプレイ１２の表示画面４０には、例えば図６（Ｄ）に示すように、映像が表示される番組情報表示欄４２ａ、通話情報が表示される通話情報表示欄４３ａが表示されるとともに、番組情報表示欄４２ａには字幕情報４４ａが表示される。通話情報は、例えば通話相手に関する情報、通話時間等を含んでいる。
【００４３】
また主制御部２０は、現在の設定情報を記憶部２３に記憶する（Ｓ１０９）。このとき、ワンセグミドルウェア３６がワンセグアプリ３２に対して、「字幕表示あり」に設定したことを示す信号を送信し（Ｓ３０７）、この信号を受信したワンセグアプリ３２が、設定情報を記憶部３４に記憶する（Ｓ３０８）。記憶される設定情報は、音量情報、字幕設定情報、表示レイアウト情報等である。これらの記憶された設定情報は、通話処理が終了されたときにテレビ視聴機能を再設定するために使用される。
【００４４】
主制御部２０は、音量設定を消音に設定する（Ｓ１１１）。このとき、ワンセグミドルウェア３６は、テレビ視聴機能の音量を消音に設定して音声を無効にする（Ｓ３０９）。そしてワンセグミドルウェア３６は、通話ミドルウェア３７に「字幕表示あり」の設定が完了した旨を示す応答を返す（Ｓ３１０）。
【００４５】
そして主制御部２０は、テレビ視聴機能を下位で実行する（Ｓ１１３）。すなわち主制御部２０は、通話機能を上位で実行してその下でテレビ視聴機能を実行する。このとき、通話ミドルウェア３７がアプリマネージャ３１に対して、通話アプリの割り込み起動（“ワンセグ見ながらモード”）を要求するための信号を送信する（Ｓ３１１）。信号を受信したアプリマネージャ３１は、ワンセグアプリ３２に対してテレビ視聴機能を中断を指示するための信号を送信して（Ｓ３１２）、ワンセグアプリ３２は、テレビ視聴機能を中断する（下位で実行する）とともに、中断した旨を示す信号をアプリマネージャ３１に送信する（Ｓ３１３）。なお、“ワンセグ見ながらモード”は、半画面表示モードや画面未使用モードなど、テレビ視聴画面を隠さないような動作モードであり、予め設定されている。
【００４６】
主制御部２０は、通話機能を上位で実行して携帯電話機１を着信状態に移行させて、ユーザに対して音声や振動によりこの着信を通知する（Ｓ１１５）。このとき、アプリマネージャ３１が通話アプリ３３に対して、通話機能の起動を指示するための信号を送信して（Ｓ３１４）、信号を受信した通話アプリ３３は、通話機能を起動する。
【００４７】
次に、主制御部２０は、着信状態が終了されたか否かを判断する（Ｓ１１７）。この際、主制御部２０は、着信相手から着信が解除された場合や、携帯電話機１における通話処理が終了された場合に、着信状態が終了されたものと判断する。着信状態が終了されていない場合（Ｓ１１７のＮｏ）は、主制御部２０は着信状態が終了するまで待機する。なお、このＳ１１７においては、着信状態が終了されたか否かの判断にかえて、「着信状態またはその後の通話状態が終了されたか？」という判断であってもよい。つまり、ユーザが着信に出ずに着信状態が終了したか、またはユーザが着信に出て通話が開始され、その通話が終了したかが判断されるようにしてもよい。
【００４８】
着信状態（または通話状態）が終了された場合（Ｓ１１７のＹｅｓ）は、主制御部２０は、通話機能を終了する（Ｓ１１９）。このとき、通話アプリ３３は、通話機能が終了されると、アプリマネージャ３１に対して通話機能が終了された旨を示す信号を送信する（Ｓ３１５）。信号を受信したアプリマネージャ３１は、ワンセグアプリ３２に対してテレビ視聴機能の再開を要求するため信号を送信する（Ｓ３１６）。
【００４９】
主制御部２０は、ステップＳ１０９にて記憶した設定情報に基づいて、テレビ視聴機能の設定を元に戻す（Ｓ１２１）。このとき、ワンセグアプリ３２は、ステップＳ１０９（Ｓ３０８）にて記憶した情報に基づいて、ワンセグミドルウェア３６にテレビ視聴機能の設定を要求するための信号を送信する（Ｓ３１７）。信号を受信したワンセグミドルウェア３６は、受信した設定情報に基づいてテレビ視聴機能の設定を元に戻す（Ｓ３１８）。このとき主制御部２０は、テレビ視聴機能に対して、ステップＳ１０１にて音声着信が発生する前の音量、字幕表示、表示レイアウトに設定する。そして主制御部２０は、テレビ視聴機能を上位で実行する（Ｓ１２３）。
【００５０】
音声着信が発生したときにヘッドセットが使用されていなかった場合（Ｓ１０３のＮｏ）、またはテレビ視聴機能で視聴中の番組が字幕情報を有していなかった場合（Ｓ１０５のＮｏ）は、主制御部２０は、テレビ視聴機能と通話機能とを同時に実行できないため、テレビ録画機能を下位で実行する（Ｓ２０１）。このときワンセグミドルウェア３６は、視聴していた番組の録画（タイムシフト録画）を開始する（Ｓ４０１）。
【００５１】
主制御部２０は、テレビ視聴機能の設定情報を記憶部２３に記憶する（Ｓ２０３）。このとき主制御部２０は、設定情報として音量情報を記憶する。また、ワンセグミドルウェア３６がワンセグアプリ３２に対して、タイムシフト録画を開始したことを示す信号を送信し（Ｓ４０２）、この信号を受信したワンセグアプリ３２が、設定情報を記憶部３４に記憶する（Ｓ４０３）。記憶される設定情報は、音量情報等である。これらの記憶された設定情報は、通話処理が終了された際にテレビ視聴機能を再設定するために使用される。
【００５２】
主制御部２０は、テレビ視聴機能の音量を消音に設定する（Ｓ２０５）。このとき、ワンセグミドルウェア３６は、テレビ視聴機能の音量を消音に設定して音声を無効にする（Ｓ４０４）。そしてワンセグミドルウェア３６は、音声を無効にした旨を示す信号を通話ミドルウェア３７に対して返信する（Ｓ４０５）。
【００５３】
そして主制御部２０は、テレビ視聴機能を中断する（Ｓ２０７）。このとき、通話ミドルウェア３７がアプリマネージャ３１に対して、通話アプリの割り込み起動（“通常モード”）を要求するための信号を送信する（Ｓ４０６）。信号を受信したアプリマネージャ３１は、ワンセグアプリ３２に対してテレビ視聴機能を中断を指示するための信号を送信して（Ｓ４０７）、ワンセグアプリ３２は、テレビ視聴機能を中断する（下位で実行する）とともに、中断した旨を示す信号をアプリマネージャ３１に送信する（Ｓ４０８）。
【００５４】
そして主制御部２０は、通話機能を上位で実行して携帯電話機１を着信状態に移行させて、ユーザに対して音声や振動によりこの着信を通知する（Ｓ２０９）。このとき、アプリマネージャ３１が通話アプリ３３に対して、通話機能の起動を指示するための信号を送信して（Ｓ４０９）、信号を受信した通話アプリ３３は、通話機能を起動する。このとき主制御部２０は、通話機能を最上位で実行する。
【００５５】
主制御部２０は、着信状態が終了されたか否かを判断する（Ｓ２１１）。この際、主制御部２０は、着信相手から着信が解除された場合や、携帯電話機１における通話処理が終了された場合に、着信状態が終了されたものと判断する。着信状態が終了されていない場合（Ｓ２１１のＮｏ）は、主制御部２０は着信状態が終了するまで待機する。なお、ステップＳ２１１においても、Ｓ１１７と同様、着信状態が終了されたか否かの判断にかえて、「着信状態またはその後の通話状態が終了されたか？」という判断であってもよい。つまり、ユーザが着信に出ずに着信状態が終了したか、またはユーザが着信に出て通話に入り、その通話が終了したかが判断されるようにしてもよい。
【００５６】
着信（又は通話）状態が終了された場合（Ｓ２１１のＹｅｓ）は、主制御部２０は、通話機能を終了する（Ｓ２１３）。このとき、通話アプリ３３は、通話機能が終了されると、アプリマネージャ３１に対して通話機能が終了された旨を示す信号を送信する（Ｓ４１０）。信号を受信したアプリマネージャ３１は、ワンセグアプリ３２に対してタイムシフト録画＆再生の開始を要求するため信号を送信する（Ｓ４１１）。
【００５７】
主制御部２０は、ステップＳ２０１にて記憶した設定情報に基づいて、テレビ視聴機能の設定を元に戻す（Ｓ２１５）。このとき、ワンセグアプリ３２は、ステップＳ２０３（Ｓ４０３）にて記憶した情報に基づいて、ワンセグミドルウェア３６にテレビ視聴機能の設定を要求するための信号を送信する（Ｓ４１２）。信号を受信したワンセグミドルウェア３６は、受信した設定情報に基づいてテレビ視聴機能の設定を元に戻す（Ｓ４１３）。このとき主制御部２０は、テレビ視聴機能に対して、ステップＳ１０１にて音声着信が発生する前の音量に設定する。
【００５８】
そして主制御部２０は、テレビ録画再生機能を上位で実行する（Ｓ２１７）。このとき主制御部２０は、録画処理と再生処理とを同時に行うタイムシフト録画を行う。このとき、ワンセグミドルウェア３６は、ステップＳ２０１（Ｓ４０１）にて開始された録画処理を継続しつつ、ステップＳ２０１にて録画されたテレビ番組を先頭から再生する（Ｓ４１４）。
【００５９】
このようにして携帯電話機１は、テレビ視聴中に音声着信が発生したときに、ユーザがヘッドセットを利用していた場合には、テレビ放送の音声を無音声に設定するとともに字幕を表示して、着信状態に移行する。そして携帯電話機１は、着信状態が終了したときに、音声や字幕の設定を着信前の状態に戻す。これにより、ユーザは通話の音声に邪魔されることなく、携帯電話機１でテレビ視聴を継続することができる。
【００６０】
また、携帯電話機１は、テレビ視聴中に音声着信が発生したときに、視聴中のテレビ放送が字幕情報を含んでいなかった場合や、ユーザがヘッドセットを利用していなかった場合には、テレビ放送の録画を開始してから着信状態に移行する。そして携帯電話機１は、着信状態が終了したときに、録画されたテレビ番組を再生しつつ、録画を継続する。すなわち、視聴しているテレビ番組が字幕情報を有さない場合、タイムシフト録画を動作させるようにする。
【００６１】
なお、テレビ視聴時の音声着信時の画面の構成をユーザが設定できるようにし、ユーザのニーズに合わせてカスタマイズするようにしても良い（例えば、上半分にワンセグ画面、下半分に着信画面を表示するなど）。
【００６２】
また、実施形態として、携帯電話機１にて視聴中のテレビ放送が字幕情報を含んでいるか否かに基づいて、テレビ放送の音声を字幕表示に切換えるかタイムシフト録画を開始するかを決定する例について説明したが、これに限定せず、ユーザ設定に基づいて、テレビ放送の音声を字幕表示に切り替えたりタイムシフト録画を開始したりしても良い。
【００６３】
また、実施形態として、音声着信が発生したときの動作を説明したが、音声着信状態に限定されず、メール着信状態、テレビ電話着信（通話）状態、アラーム発生状態に適用しても良い。その際には、通話アプリ３３の機能がそれぞれメールアプリ、テレビ電話アプリ、アラームアプリにそれぞれ置き換わればよい。
【００６４】
本発明に係る携帯端末（携帯電話機１）によると、ユーザが通話をしながらテレビ放送を視聴する際に、テレビ放送の音声によって通話の音声が聞き取りにくくなることを防止することが可能となる。
【００６５】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、テレビ視聴機能及び通話機能を備えた携帯端末であれば、任意の携帯端末であって良い。
【符号の説明】
【００６６】
１…携帯電話機，１０…上筐体，１１…下筐体，１２…ディスプレイ，１３…スピーカ，１４、１５…操作キー，１６…マイクロフォン，１７…サイドキー，２０…主制御部，２１…電源回路部，２２…表示制御部，２３…記憶部，２４…外部メモリ接続部，２５…音声制御部，２６…通信制御部，２６ａ…アンテナ，２７…テレビ受信部，２７ａ…チューナ，２７ｂ…アンテナ，２７ｃ…復調部，２７ｄ…ＴＳデコーダ，２７ｅ…字幕デコーダ，２８…映像再生制御部，２９…近距離通信制御部，２９ａ…アンテナ，３０…フレームワーク，３１…アプリマネージャ，３２…ワンセグアプリ，３３…通話アプリ，３４…オペレーティングシステム，３５…デバイス管理ミドルウェア，３６…ワンセグミドルウェア，３７…通話ミドルウェア，３８…デバイスドライバ，３９…ハードウェア，４０…表示画面，４１、４１ａ、４２、４２ａ…番組情報表示欄，４３、４３ａ…通話情報表示欄。
【図１】
2010161472.tif 000003
【図２】
2010161472.tif 000004
【図３】
2010161472.tif 000005
【図４】
2010161472.tif 000006
【図５】
2010161472.tif 000007
【図６】
2010161472.tif 000008
【図７】
2010161472.tif 000009
【図８】
2010161472.tif 000010